(57)【要約】  【課題】  メディアから読み出した画像データに基づく画像を、画像形成装置等の表示装置に表示する際に、利用者の操作性を向上させることのできる画像表示方法および装置を提供する。  【解決手段】  縮小画像データ７０を画面上で表示する大きさに変換した縮小画像データ７１に基づいて画像を表示した後に、基本画像データ８０を画面上で表示する大きさに変換した基本画像データ８１に基づいた画像を、縮小画像データ７１に基づいた画像と差し替えて表示し、さらに、基本画像データ８０を補正した補正画像データ９０を画面上で表示する大きさに変換した補正画像データ９１に基づいた画像を、基本画像データ８１に基づいた画像と差し替えて表示する。【選択図】        図７
2006085034.tif 000002
【特許請求の範囲】
【請求項１】
画像データに基づく画像を画面上に表示する画像表示方法であって、
第１の画像を所定の大きさで画面上に表示した後に、該第１の画像に対応するとともに該第１の画像よりも高品質の第２の画像を、該第１の画像と差し替えて該第１の画像と同じ大きさで前記画面上に表示することを特徴とする画像表示方法。
【請求項２】
前記第１の画像は、予め前記画像データに対応して生成された縮小画像データに基づいて表示され、前記第２の画像は、前記画像データに基づいて表示されることを特徴とする請求項１記載の画像表示方法。
【請求項３】
前記第１の画像は、予め前記画像データに対応して生成された縮小画像データに基づいて表示され、前記第２の画像は、前記画像データに補正処理を施した補正画像データに基づいて表示されることを特徴とする請求項１記載の画像表示方法。
【請求項４】
前記第１の画像は、前記画像データに基づいて表示され、前記第２の画像は、前記画像データに補正処理を施した補正画像データに基づいて表示されることを特徴とする請求項１記載の画像表示方法。
【請求項５】
前記第１の画像を表示する処理が完了する前に、前記第２の画像を表示する処理を開始することを特徴とする請求項１記載の画像表示方法。
【請求項６】
前記第２の画像を表示した後に、該第２の画像に対応するとともに該第２の画像よりも高品質の第３の画像を、該第２の画像と差し替えて該第２の画像と同じ大きさで前記画面上に表示することを特徴とする請求項１記載の画像表示方法。
【請求項７】
前記第１の画像は、予め前記画像データに対応して生成された縮小画像データに基づいて表示され、前記第２の画像は、前記画像データに基づいて表示され、前記第３の画像は、前記画像データに補正処理を施した補正画像データに基づいて表示されることを特徴とする請求項６記載の画像表示方法。
【請求項８】
前記第１の画像を表示する処理が完了する前に、前記第２の画像を表示する処理を開始し、前記第２の画像を表示する処理が完了する前に、前記第３の画像を表示する処理を開始することを特徴とする請求項６記載の画像表示方法。
【請求項９】
画像データに基づく画像を画面上に表示する画像表示装置において、
所定の大きさの第１の画像を生成する第１の画像生成手段と、
前記第１の画像に対応するとともに、該第１の画像よりも高品質で同じ大きさの第２の画像を生成する第２の画像生成手段と、
前記第１の画像を表示した後に、前記第２の画像を前記第１の画像と差し替えて表示する表示制御手段と
を具備することを特徴とする画像表示装置。
【請求項１０】
前記第１の画像生成手段は、予め前記画像データに対応して生成された縮小画像データに基づいて前記第１の画像を生成し、
前記第２の画像生成手段は、前記画像データに基づいて前記第２の画像を生成する
ことを特徴とする請求項９記載の画像表示装置。
【請求項１１】
前記第１の画像生成手段は、予め前記画像データに対応して生成された縮小画像データに基づいて前記第１の画像を生成し、
前記第２の画像生成手段は、前記画像データを補正する補正手段を具備し、前記補正手段が前記画像データに補正処理を施した補正画像データに基づいて前記第２の画像を生成する
ことを特徴とする請求項９記載の画像表示装置。
【請求項１２】
前記第１の画像生成手段は、前記画像データに基づいて前記第１の画像を生成し、
前記第２の画像生成手段は、前記画像データを補正する補正手段を具備し、前記補正手段が前記画像データに補正処理を施した補正画像データに基づいて前記第２の画像を生成する
ことを特徴とする請求項９記載の画像表示装置。
【請求項１３】
前記第２の画像生成手段は、前記第１の画像生成手段が前記第１の画像の生成を終える前に、前記第２の画像の生成を開始することを特徴とする請求項９記載の画像表示装置。
【請求項１４】
前記第２の画像に対応するとともに、該第２の画像よりも高品質で同じ大きさの第３の画像を生成する第３の画像生成手段をさらに具備し、
前記表示制御手段は、前記第２の画像を表示した後に、前記第３の画像を前記第２の画像と差し替えて表示する
ことを特徴とする請求項９記載の画像表示装置。
【請求項１５】
前記第１の画像生成手段は、予め前記画像データに対応して生成された縮小画像データに基づいて前記第１の画像を生成し、
前記第２の画像生成手段は、前記画像データに基づいて前記第２の画像を生成し、
前記第３の画像生成手段は、前記画像データを補正する補正手段を具備し、前記補正手段が前記画像データに補正処理を施した補正画像データに基づいて前記第３の画像を生成する
ことを特徴とする請求項１４記載の画像表示装置。
【請求項１６】
前記第２の画像生成手段は、前記第１の画像生成手段が前記第１の画像の生成を終える前に、前記第２の画像の生成を開始し、
前記第３の画像生成手段は、前記第２の画像生成手段が前記第２の画像の生成を終える前に、前記第３の画像の生成を開始する
ことを特徴とする請求項１４記載の画像表示装置。
【発明の詳細な説明】
【技術分野】
【０００１】
本発明は、画像表示方法および装置に関し、特に、画像データに基づいて画像を形成する画像形成装置において、処理対象となる画像を表示する画像表示方法および装置に関する。
【背景技術】
【０００２】
近年、ディジタルカメラの普及に伴い、ディジタルカメラで撮影した画像をプリントする画像形成装置が多く提供されるようになっている。これらの画像形成装置には、画像の形成方式に様々なものが存在するが、その処理の多くを自動化することが可能である。このため、専任のオペレータの操作によらず、撮影を行った本人等が、自身で操作を行って画像のプリントを行うことのできる画像形成装置が提供されている（例えば、特許文献１参照）。
【０００３】
撮影者等が操作を行う画像形成装置は、一般に、可搬形の記憶媒体であるメディアから画像データを読み出して画面上に一覧表示し、この一覧表示に基づいて撮影者等が補正の指示やプリント対象としての選択等を行うこととなる。
【特許文献１】特開２００３−２１７０２７号公報
【発明の開示】
【発明が解決しようとする課題】
【０００４】
ところで、最近では、ディジタルカメラの高画素化が進み、それに伴って、画像データのデータサイズも大きなものとなってきている。このため、メディアからの画像データの読み出しをはじめ、読み出した画像データに対する補正等の画像処理に要する時間が長くなっている。
【０００５】
このため、画面上に画像を表示するのに要する時間が長くなり、撮影者等の利用者は、当該画像形成装置の操作性の低下を感じることとなる。また、短時間で画面上に画像を表示しようとすれば、その画質が低下し、この場合でも、利用者は、当該画像形成装置の操作性の低下を感じることとなる。
【０００６】
そこで、本発明は、メディアから読み出した画像データに基づく画像を、画像形成装置等の表示装置に表示する際に、利用者の操作性を向上させることのできる画像表示方法および装置を提供することを目的とする。
【課題を解決するための手段】
【０００７】
前述した目的を達成するため、請求項１の発明は、画像データに基づく画像を画面上に表示する画像表示方法であって、第１の画像を所定の大きさで画面上に表示した後に、該第１の画像に対応するとともに該第１の画像よりも高品質の第２の画像を、該第１の画像と差し替えて該第１の画像と同じ大きさで前記画面上に表示することを特徴とする。
【０００８】
また、請求項２の発明は、請求項１の発明において、前記第１の画像は、予め前記画像データに対応して生成された縮小画像データに基づいて表示され、前記第２の画像は、前記画像データに基づいて表示されることを特徴とする。
【０００９】
また、請求項３の発明は、請求項１の発明において、前記第１の画像は、予め前記画像データに対応して生成された縮小画像データに基づいて表示され、前記第２の画像は、前記画像データに補正処理を施した補正画像データに基づいて表示されることを特徴とする。
【００１０】
また、請求項４の発明は、請求項１の発明において、前記第１の画像は、前記画像データに基づいて表示され、前記第２の画像は、前記画像データに補正処理を施した補正画像データに基づいて表示されることを特徴とする。
【００１１】
また、請求項５の発明は、請求項１の発明において、前記第１の画像を表示する処理が完了する前に、前記第２の画像を表示する処理を開始することを特徴とする。
【００１２】
また、請求項６の発明は、請求項１の発明において、前記第２の画像を表示した後に、該第２の画像に対応するとともに該第２の画像よりも高品質の第３の画像を、該第２の画像と差し替えて該第２の画像と同じ大きさで前記画面上に表示することを特徴とする。
【００１３】
また、請求項７の発明は、請求項６の発明において、前記第１の画像は、予め前記画像データに対応して生成された縮小画像データに基づいて表示され、前記第２の画像は、前記画像データに基づいて表示され、前記第３の画像は、前記画像データに補正処理を施した補正画像データに基づいて表示されることを特徴とする。
【００１４】
また、請求項８の発明は、請求項６の発明において、前記第１の画像を表示する処理が完了する前に、前記第２の画像を表示する処理を開始し、前記第２の画像を表示する処理が完了する前に、前記第３の画像を表示する処理を開始することを特徴とする。
【００１５】
また、請求項９の発明は、画像データに基づく画像を画面上に表示する画像表示装置において、所定の大きさの第１の画像を生成する第１の画像生成手段と、前記第１の画像に対応するとともに、該第１の画像よりも高品質で同じ大きさの第２の画像を生成する第２の画像生成手段と、前記第１の画像を表示した後に、前記第２の画像を前記第１の画像と差し替えて表示する表示制御手段とを具備することを特徴とする。
【００１６】
また、請求項１０の発明は、請求項９の発明において、前記第１の画像生成手段は、予め前記画像データに対応して生成された縮小画像データに基づいて前記第１の画像を生成し、前記第２の画像生成手段は、前記画像データに基づいて前記第２の画像を生成することを特徴とする。
【００１７】
また、請求項１１の発明は、請求項９の発明において、前記第１の画像生成手段は、予め前記画像データに対応して生成された縮小画像データに基づいて前記第１の画像を生成し、前記第２の画像生成手段は、前記画像データを補正する補正手段を具備し、前記補正手段が前記画像データに補正処理を施した補正画像データに基づいて前記第２の画像を生成することを特徴とする。
【００１８】
また、請求項１２の発明は、請求項９の発明において、前記第１の画像生成手段は、前記画像データに基づいて前記第１の画像を生成し、前記第２の画像生成手段は、前記画像データを補正する補正手段を具備し、前記補正手段が前記画像データに補正処理を施した補正画像データに基づいて前記第２の画像を生成することを特徴とする。
【００１９】
また、請求項１３の発明は、請求項９の発明において、前記第２の画像生成手段は、前記第１の画像生成手段が前記第１の画像の生成を終える前に、前記第２の画像の生成を開始することを特徴とする。
【００２０】
また、請求項１４の発明は、請求項９の発明において、前記第２の画像に対応するとともに、該第２の画像よりも高品質で同じ大きさの第３の画像を生成する第３の画像生成手段をさらに具備し、前記表示制御手段は、前記第２の画像を表示した後に、前記第３の画像を前記第２の画像と差し替えて表示することを特徴とする。
【００２１】
また、請求項１５の発明は、請求項１４の発明において、前記第１の画像生成手段は、予め前記画像データに対応して生成された縮小画像データに基づいて前記第１の画像を生成し、前記第２の画像生成手段は、前記画像データに基づいて前記第２の画像を生成し、前記第３の画像生成手段は、前記画像データを補正する補正手段を具備し、前記補正手段が前記画像データに補正処理を施した補正画像データに基づいて前記第３の画像を生成することを特徴とする。
【００２２】
また、請求項１６の発明は、請求項１４の発明において、前記第２の画像生成手段は、前記第１の画像生成手段が前記第１の画像の生成を終える前に、前記第２の画像の生成を開始し、前記第３の画像生成手段は、前記第２の画像生成手段が前記第２の画像の生成を終える前に、前記第３の画像の生成を開始することを特徴とする。
【発明の効果】
【００２３】
本発明によれば、第１の画像を所定の大きさで画面上に表示した後に、該第１の画像に対応するとともに該第１の画像よりも高品質の第２の画像を、該第１の画像と差し替えて該第１の画像と同じ大きさで画面上に表示するように構成したので、利用者は短時間で画像を確認することができるとともに、その後、高品質な表示で画像を確認することができ、操作性の低下を感じることがなくなる。
【発明を実施するための最良の形態】
【００２４】
以下、本発明に係る画像表示方法および装置の一実施の形態について、添付図面を参照して、詳細に説明する。
【実施例１】
【００２５】
図１は、本発明を適用した画像形成装置の概略構成を示すブロック図である。同図に示すように、画像形成装置１は、制御部１０と、メディア読出部２０、表示・操作部３０、データ記憶部４０、画像形成部５０を具備して構成される。
【００２６】
制御部１０は、本発明を適用した部分で、画像形成装置１の各部の制御等を行うものである。メディア読出部２０は、各種メモリや、光ディスク等の可搬形の記憶媒体であるメディアから画像データを読み出すものである。表示・操作部３０は、タッチパネル式のディスプレイ等で構成され、利用者に対して各種の情報を提示するとともに、利用者からの指示操作を受け付ける。データ記憶部４０は、ハードディスクドライブ等の記憶媒体で構成され、画像データ等の記憶を行うものである。画像形成部５０は、画像データに基づいて用紙上に画像を形成するものである。
【００２７】
ところで、画像形成装置１は、例えば、図２に示すような外観を有している。図２に示した例では、画像形成装置１は、メディア読出部２０の一部であるメディア挿入口２１、表示・操作部３０の一部である画面３１、画像形成部５０で画像が形成された用紙を取り出すプリント取り出し口５１が配されている。なお、画像形成装置１は、必ずしも図２に示すような外観を有する必要はなく、画像形成装置１を構成する各部を、複数の筐体に納めたもの等、様々な外観を有する可能性がある。
【００２８】
続いて、制御部１０について説明する。図３は、制御部１０の機能的な構成を示すブロック図である。なお、制御部１０は、パーソナルコンピュータ等でソフトウェアを動作させることで実現することもできる。また、図３においては、制御部１０の機能的な構成のうち、本発明と関連しない部分については省略しているが、実際には、他の様々な機能を有することとなる。
【００２９】
同図に示すように、制御部１０は、読出処理部１１と、拡縮処理部１２、表示制御部１３、補正処理部１４、記憶処理部１５、画像形成制御部１６を具備して構成される。
【００３０】
読出処理部１１は、メディア読出部２０を制御し、メディアから画像データを読み出させ、当該画像データを取得する。拡縮処理部１２は、画像データを表示・操作部３０が表示する画像の大きさに縮小または拡大する。表示制御部１３は、拡縮処理部１２が縮小または拡大した画像データ等に基づいて、表示・操作部３０が表示する画面を生成する。補正処理部１４は、画像データに対して、色や明るさ、輝度等の補正処理を施す。記憶処理部１５は、補正処理部１４が補正を施した画像データ等をデータ記憶部４０に記憶させ、必要に応じて、データ記憶部４０から画像データを読み出す。画像形成制御部１６は、記憶処理部１５がデータ記憶部４０から読み出した画像データに基づいて、画像形成部５０に実行させるジョブを生成し、生成したジョブを画像形成部５０へ送出して画像形成部５０に画像の形成を実行させる。
【００３１】
次に、制御部１０の動作を説明する。図４および図５は、制御部１０の動作の流れを示すフローチャートであり、図６は、表示・操作部３０に表示される画面の例を示した図である。また、図７は、利用する画像データを説明するための図である。なお、実施例１においては、図７に示すように、メディア２５には、１つの画像について、画像形成等に利用するディジタルカメラの撮影者が設定した（若しくはディジタルカメラにより自動設定された）画素数の基本画像データ７０と、サムネイル画像の表示等に利用される縮小画像データ８０が、ディジタルカメラにより格納されているものとする。
【００３２】
制御部１０は、メディア読出部２０にメディア２５が挿入されると（ステップ１００でＹＥＳ）、読出処理部１１が、メディア制御部２０を制御してメディア２５から縮小画像データ７０を読み出し、この縮小画像データ７０を、拡縮処理部１２が一覧表示用の大きさの縮小画像データ７１に変換し、表示制御部１３が、縮小画像データ７１に基づいて表示・操作部３０に画像の一覧表示を行う（ステップ１０１）。画像の一覧表示は、例えば、図６に示す画面６０の画像一覧表示欄６１に表示される。
【００３３】
この状態で、利用者が、画像一覧表示欄６１に表示されている画像のいずれかを選択する操作、例えば、画像の押下（タッチパネルであるため）を行うと（ステップ１０２でＹＥＳ）、制御部１０は、画面６０の画像表示欄６２に、選択された画像を表示するための画像表示処理を行う（ステップ１０３）。なお、画像表示欄６２に表示される画像は、画像一覧表示欄６１に表示される画像よりも、その大きさが大きいもので、利用者は、画像表示欄６２に表示された画像に対して、プリント枚数の指定や手動による補正指示、日付プリントの指示等を行うことができる。
【００３４】
画像表示処理では、利用者により選択された画像が、既に選択されたことがあるものでなければ（ステップ１３０でＹＥＳ（図５））、読出処理部１１が、メディア制御部２０を制御してメディア２５から選択された画像に対応する縮小画像データ７０を読み出し、この縮小画像データ７０を、拡縮処理部１２が画像表示欄６２への表示用の大きさの縮小画像データ７２に変換し、表示制御部１３が、縮小画像データ７２に基づいて表示・操作部３０に画像の表示を行う（ステップ１３１）。続いて、読出処理部１１が、メディア制御部２０を制御してメディア２５から選択された画像に対応する基本画像データ８０を読み出し、この基本画像データ８０を、拡縮処理部１２が画像表示欄６２への表示用の大きさの基本画像データ８１に変換し（ステップ１３２）、表示制御部１３が、基本画像データ８１に基づいて表示・操作部３０に画像の表示を行う（ステップ１３３）。なお、縮小画像データ７０を読み出して表示する処理と基本画像データ８０を読み出して表示する処理を、同時に開始するようにしてもよいが、この場合でも、画像データとしての大きさの小さい縮小画像データ７０に対する処理の方が短時間で行うことができるため、画像表示欄６２へは、縮小画像データ７２に基づく画像が表示された後に、基本画像データ８１に基づく画像が表示されることとなる。
【００３５】
続いて、読出処理部１１が、メディア制御部２０を制御してメディア２５から選択された画像に対応する基本画像データ８０を読み出し、この基本画像データ８０に対して補正処理部１４が、色補正等の補正処理を施して補正画像データ９０を生成し（ステップ１３４）、記憶処理部１５が、補正画像データ９０をデータ記憶部４０へ保存する（ステップ１３５）。そして、データ記憶部４０へ保存した補正画像データ９０を、拡縮処理部１２が画像表示欄６２への表示用の大きさの補正画像データ９１に変換し（ステップ１３６）、表示制御部１３が、補正画像データ９１に基づいて表示・操作部３０に画像の表示を行う（ステップ１３７）。その後、データ記憶部４０へ保存した補正画像データ９０を、拡縮処理部１２が一覧表示用の大きさの補正画像データ９２に変換し（ステップ１３８）、表示制御部１３が、補正画像データ９２に基づいて、表示・操作部３０が表示している画像の一覧のうち、対応する画像の差し替えを行う（ステップ１３９）。なお、ステップ１３４の補正処理は、ステップ１３１での縮小画像データ７０の読み出しやステップ１３２での基本画像データ８０の読み出しと、同時に開始するようにしてもよい。また、画像表示を画面６０とは異なる画面、例えば、画像の一覧表示と選択された画像の表示を別画面で表示する場合には、ステップ１３９での画像の差し替えは、選択された画像を表示する画面から、画像の一覧を表示する画面に戻った際に行われる。
【００３６】
一方、利用者により選択された画像が、既に選択されたことがあるものであった場合には（ステップ１３０でＮＯ）、記憶処理部１５がデータ記憶部４０から補正画像データ９０を読み出し（ステップ１４０）、この補正画像データ９０を、拡縮処理部１２が画像表示欄６２への表示用の大きさの補正画像データ９１に変換し（ステップ１４１）、表示制御部１３が、補正画像データ９１に基づいて表示・操作部３０に画像の表示を行う（ステップ１４２）。
【００３７】
このステップ１０３の画像表示処理は、利用者が一覧表示した画像から所望の画像を選択する毎に行われ（ステップ１０４でＮＯ、ステップ１０２でＹＥＳ（図４））、その後、利用者がプリントの実行を指示すると（ステップ１０４でＹＥＳ）、記憶処理部１５が、指示された画像に対応する補正画像データ９０をデータ記憶部４０から読み出し、この補正画像データ９０に基づいて、画像形成制御部１６がジョブを生成して、画像形成部５０に画像形成、つまり、プリント処理を実行させる（ステップ１０５）。そして、制御部１０は、プリント処理が終了すると、利用者に対するメディア２５の取り出しの指示を行う等の終了処理を実行し（ステップ１０６）、動作を終了する。なお、プリントと対象として選択された画像が画像表示欄６２に表示された履歴のないものであった場合には、補正画像データ９０は生成されていないため、メディア２５から基本画像データ８０を読み出して補正画像データ９０を生成した後に、プリント処理が実行される。
【実施例２】
【００３８】
実施例２は、実施例１の場合と同様の処理を異なる手順で行う場合を説明する。図８乃至１１は、実施例２における制御部１０の動作の流れを示すフローチャートであり、図１２は、実施例２において利用する画像データを説明するための図である。
【００３９】
制御部１０は、メディア読出部２０にメディア２５が挿入されると（ステップ２００でＹＥＳ（図８））、まず、後述する画像処理を開始する（ステップ２０１）。この画像処理は、バックグラウンドで、以下に説明する処理と並列に実行される。そして、読出処理部１１が、メディア制御部２０を制御してメディア２５から縮小画像データ７０を読み出し、この縮小画像データ７０を、拡縮処理部１２が一覧表示用の大きさの縮小画像データ７１に変換し、表示制御部１３が、縮小画像データ７１に基づいて表示・操作部３０に画像の一覧表示を行う（ステップ２０２）。画像の一覧表示は、例えば、図６に示す画面６０の画像一覧表示欄６１に表示される。
【００４０】
ここで、ステップ２０１で処理が開始される画像処理について説明する。画像処理には２つの処理があり、１つめの画像処理では、読出処理部１１が、メディア制御部２０を制御してメディア２５から基本画像データ８０を読み出し、この基本画像データ８０を、拡縮処理部１２が一覧表示用の大きさの基本画像データ８２に変換し（ステップ２１０（図９））、表示制御部１３が、基本画像データ８２に基づいて、表示・操作部３０が表示している画像の一覧のうち、対応する画像の差し替えを行い（ステップ２１１）、この処理をメディア２５に格納されている全画像データに対して実行する（ステップ２１２でＮＯ）。そして、メディア２５に格納されている全画像に対して処理が終了すると（ステップ２１２でＹＥＳ）、当該画像処理を終了する。なお、１つめの画像処理は、必ずしも実行する必要があるものではない。
【００４１】
また、２つめの画像処理では、読出処理部１１が、メディア制御部２０を制御してメディア２５から選択された画像に対応する基本画像データ８０を読み出し、この基本画像データ８０に対して補正処理部１４が、色補正等の補正処理を施して補正画像データ９０を生成し（ステップ２１５（図１０））、記憶処理部１５が、補正画像データ９０をデータ記憶部４０へ保存する（ステップ２１６）。続いて、拡縮処理部１２が一覧表示用の大きさの補正画像データ９２に変換し（ステップ２１７）、表示制御部１３が、補正画像データ９２に基づいて、表示・操作部３０が表示している画像の一覧のうち、対応する画像の差し替えを行う（ステップ２１８）。そして、これらの処理をメディア２５に格納されている全画像データに対して実行し（ステップ２１９でＮＯ）、メディア２５に格納されている全画像に対して処理が終了すると（ステップ２１９でＹＥＳ）、当該画像処理を終了する。
【００４２】
一方、表示・操作部３０に画像の一覧が表示されている状態で、利用者が、画像一覧表示欄６１に表示されている画像のいずれかを選択する操作を行うと（ステップ２０３でＹＥＳ（図８））、制御部１０は、画面６０の画像表示欄６２に、選択された画像を表示するための画像表示処理を行う（ステップ２０４）。
【００４３】
画像表示処理では、利用者により選択された画像が、ステップ２０１で開始した画像処理により補正画像データ９０が生成済のものであれば（ステップ２４０でＹＥＳ（図１１）、記憶処理部１５がデータ記憶部４０から補正画像データ９０を読み出し（ステップ２４１）、この補正画像データ９０を、拡縮処理部１２が画像表示欄６２への表示用の大きさの補正画像データ９１に変換し（ステップ２４２）、表示制御部１３が、補正画像データ９１に基づいて表示・操作部３０に画像の表示を行う（ステップ２４３）。
【００４４】
一方、利用者により選択された画像が、ステップ２０１で開始した画像処理による補正画像データ９０の生成前のものであれば（ステップ２４０でＮＯ）、読出処理部１１が、メディア制御部２０を制御してメディア２５から選択された画像に対応する縮小画像データ７０を読み出し、この縮小画像データ７０を、拡縮処理部１２が画像表示欄６２への表示用の大きさの縮小画像データ７２に変換し、表示制御部１３が、縮小画像データ７２に基づいて表示・操作部３０に画像の表示を行う（ステップ２４４）。続いて、読出処理部１１が、メディア制御部２０を制御してメディア２５から選択された画像に対応する基本画像データ８０を読み出し、この基本画像データ８０を、拡縮処理部１２が画像表示欄６２への表示用の大きさの基本画像データ８１に変換し（ステップ２４５）、表示制御部１３が、基本画像データ８１に基づいて表示・操作部３０に画像の表示を行う（ステップ２４６）。なお、縮小画像データ７０を読み出して表示する処理と基本画像データ８０を読み出して表示する処理を、同時に開始するようにしてもよいが、この場合でも、画像データとしての大きさの小さい縮小画像データ７０に対する処理の方が短時間で行うことができるため、画像表示欄６２へは、縮小画像データ７２に基づく画像が表示された後に、基本画像データ８１に基づく画像が表示されることとなる。
【００４５】
続いて、読出処理部１１が、メディア制御部２０を制御してメディア２５から選択された画像に対応する基本画像データ８０を読み出し、この基本画像データ８０に対して補正処理部１４が、色補正等の補正処理を施して補正画像データ９０を生成し（ステップ２４７）、記憶処理部１５が、補正画像データ９０をデータ記憶部４０へ保存する（ステップ２４８）。そして、データ記憶部４０へ保存した補正画像データ９０を、拡縮処理部１２が画像表示欄６２への表示用の大きさの補正画像データ９１に変換し（ステップ２４２）、表示制御部１３が、補正画像データ９１に基づいて表示・操作部３０に画像の表示を行う（ステップ２４３）。なお、ステップ２４７の補正処理は、ステップ２４４での縮小画像データ７０の読み出しやステップ２３５での基本画像データ８０の読み出しと、同時に開始するようにしてもよい。
【００４６】
このステップ２０４の画像表示処理は、利用者が一覧表示した画像から所望の画像を選択する毎に行われ（ステップ２０５でＮＯ、ステップ２０３でＹＥＳ（図８））、その後、利用者がプリントの実行を指示すると（ステップ２０５でＹＥＳ）、記憶処理部１５が、指示された画像に対応する補正画像データ９０をデータ記憶部４０から読み出し、この補正画像データ９０に基づいて、画像形成制御部１６がジョブを生成して、画像形成部５０に画像形成、つまり、プリント処理を実行させる（ステップ２０６）。そして、制御部１０は、プリント処理が終了すると、利用者に対するメディア２５の取り出しの指示を行う等の終了処理を実行し（ステップ２０７）、動作を終了する。
【実施例３】
【００４７】
実施例３は、メディア２５に基本画像データ８０のみが格納され、縮小画像データ７０が格納されていない場合の例を説明する。なお、実施例３で説明する制御部１０の動作は、基本的には実施例１の場合と同様であるが、実施例２と同様の動作を行うようにすることもできる。
【００４８】
図１３および図１４は、実施例３における制御部１０の動作の流れを示すフローチャートであり、図１５は、実施例３において利用する画像データを説明するための図である。なお、実施例３においては、図１５に示すように、メディア２５には、１つの画像について、基本画像データ７０のみが格納されているものとする。
【００４９】
制御部１０は、メディア読出部２０にメディア２５が挿入されると（ステップ３００でＹＥＳ）、読出処理部１１が、メディア制御部２０を制御してメディア２５から基本画像データ８０を読み出し、この基本画像データ８０を、拡縮処理部１２が一覧表示用の大きさの基本画像データ８２に変換し（ステップ３０１）、表示制御部１３が、基本画像データ８２に基づいて表示・操作部３０に画像の一覧表示を行う（ステップ３０２）。画像の一覧表示は、例えば、図６に示す画面６０の画像一覧表示欄６１に表示される。
【００５０】
この状態で、利用者が、画像一覧表示欄６１に表示されている画像のいずれかを選択する操作を行うと（ステップ３０３でＹＥＳ）、制御部１０は、画面６０の画像表示欄６２に、選択された画像を表示するための画像表示処理を行う（ステップ３０４）。
【００５１】
画像表示処理では、利用者により選択された画像が、既に選択されたことがあるものでなければ（ステップ３４０でＹＥＳ（図１４））、読出処理部１１が、メディア制御部２０を制御してメディア２５から選択された画像に対応する基本画像データ８０を読み出し、この基本画像データ８０を、拡縮処理部１２が画像表示欄６２への表示用の大きさの基本画像データ８１に変換し（ステップ３４１）、表示制御部１３が、基本画像データ８１に基づいて表示・操作部３０に画像の表示を行う（ステップ３４２）。
【００５２】
続いて、読出処理部１１が、メディア制御部２０を制御してメディア２５から選択された画像に対応する基本画像データ８０を読み出し、この基本画像データ８０に対して補正処理部１４が、色補正等の補正処理を施して補正画像データ９０を生成し（ステップ３４３）、記憶処理部１５が、補正画像データ９０をデータ記憶部４０へ保存する（ステップ３４４）。そして、データ記憶部４０へ保存した補正画像データ９０を、拡縮処理部１２が画像表示欄６２への表示用の大きさの補正画像データ９１に変換し（ステップ３４５）、表示制御部１３が、補正画像データ９１に基づいて表示・操作部３０に画像の表示を行う（ステップ３４６）。その後、データ記憶部４０へ保存した補正画像データ９０を、拡縮処理部１２が一覧表示用の大きさの補正画像データ９２に変換し（ステップ３４７）、表示制御部１３が、補正画像データ９２に基づいて、表示・操作部３０が表示している画像の一覧のうち、対応する画像の差し替えを行う（ステップ３４８）。なお、ステップ３４３の補正処理は、ステップ３４１での基本画像データ８０の読み出しと同時に開始するようにしてもよい。また、画像表示を画面６０とは異なる画面、例えば、画像の一覧表示と選択された画像の表示を別画面で表示する場合には、ステップ３４８での画像の差し替えは、選択された画像を表示する画面から、画像の一覧を表示する画面に戻った際に行われる。
【００５３】
一方、利用者により選択された画像が、既に選択されたことがあるものであった場合には（ステップ３４０でＮＯ）、記憶処理部１５がデータ記憶部４０から補正画像データ９０を読み出し（ステップ３４９）、この補正画像データ９０を、拡縮処理部１２が画像表示欄６２への表示用の大きさの補正画像データ９１に変換し（ステップ３５０）、表示制御部１３が、補正画像データ９１に基づいて表示・操作部３０に画像の表示を行う（ステップ３５１）。
【００５４】
このステップ３０４の画像表示処理は、利用者が一覧表示した画像から所望の画像を選択する毎に行われ（ステップ３０５でＮＯ、ステップ３０３でＹＥＳ（図１３））、その後、利用者がプリントの実行を指示すると（ステップ３０５でＹＥＳ）、記憶処理部１５が、指示された画像に対応する補正画像データ９０をデータ記憶部４０から読み出し、この補正画像データ９０に基づいて、画像形成制御部１６がジョブを生成して、画像形成部５０に画像形成、つまり、プリント処理を実行させる（ステップ３０６）。そして、制御部１０は、プリント処理が終了すると、利用者に対するメディア２５の取り出しの指示を行う等の終了処理を実行し（ステップ３０７）、動作を終了する。なお、プリントと対象として選択された画像が画像表示欄６２に表示された履歴のないものであった場合には、補正画像データ９０は生成されていないため、メディア２５から基本画像データ８０を読み出して補正画像データ９０を生成した後に、プリント処理が実行される。
【図面の簡単な説明】
【００５５】
【図１】本発明を適用した画像形成装置の概略構成を示すブロック図である。
【図２】画像形成装置１の外観の例を示した図である。
【図３】制御部１０の機能的な構成を示すブロック図である。
【図４】実施例１における制御部１０の動作の流れを示すフローチャートである。
【図５】実施例１における制御部１０の動作の流れを示すフローチャートである。
【図６】表示・操作部３０に表示される画面の例を示した図である。
【図７】実施例１において利用する画像データを説明するための図である。
【図８】実施例２における制御部１０の動作の流れを示すフローチャートである。
【図９】実施例２における制御部１０の動作の流れを示すフローチャートである。
【図１０】実施例２における制御部１０の動作の流れを示すフローチャートである。
【図１１】実施例２における制御部１０の動作の流れを示すフローチャートである。
【図１２】実施例２において利用する画像データを説明するための図である。
【図１３】実施例３における制御部１０の動作の流れを示すフローチャートである。
【図１４】実施例３における制御部１０の動作の流れを示すフローチャートである。
【図１５】実施例３において利用する画像データを説明するための図である。
【符号の説明】
【００５６】
１    画像形成装置
１０    制御部
１１    読出処理部
１２    拡縮処理部
１３    表示制御部
１４    補正処理部
１５    記憶処理部
１６    画像形成制御部
２０    メディア読出部
２１    メディア挿入口
２５    メディア
３０    表示・操作部
３１    画面３１
４０    データ記憶部
５０    画像形成部
５１    プリント取り出し口
６０    画面
６１    画像一覧表示欄
６２    画像表示欄
７０    縮小画像データ
７１    縮小画像データ
７２    縮小画像データ
８０    基本画像データ
８１    基本画像データ
８２    基本画像データ
９０    補正画像データ
９１    補正画像データ
９２    補正画像データ
【図１】
2006085034.tif 000003
【図２】
2006085034.tif 000004
【図３】
2006085034.tif 000005
【図４】
2006085034.tif 000006
【図５】
2006085034.tif 000007
【図６】
2006085034.tif 000008
【図７】
2006085034.tif 000009
【図８】
2006085034.tif 000010
【図９】
2006085034.tif 000011
【図１０】
2006085034.tif 000012
【図１１】
2006085034.tif 000013
【図１２】
2006085034.tif 000014
【図１３】
2006085034.tif 000015
【図１４】
2006085034.tif 000016
【図１５】
2006085034.tif 000017